(57)【特許請求の範囲】
【請求項１】
サッシ等の錠に関連付けて所定位置に設置され、この錠の開閉レバーが開閉操作された場合、この錠の開閉状態を検出して施錠、解錠信号を出力する複数の開閉検出センサと、複数の開閉検出センサからの施錠、解錠信号を受信して、各開閉検出センサに対応するサッシ等の施錠、解錠状態を表示する監視装置とを備えた戸締まり確認システムにおいて、前記開閉検出センサは、確認モードを選択するスイッチと、当該開閉検出センサを前記所定位置に設置し、前記スイッチの操作により確認モードを選択して、錠の開閉レバーを開閉操作した場合、当該開閉検出センサから施錠、解錠信号が正常に出力され、前記監視装置に当該開閉検出センサに対応するサッシ等の施錠、解錠状態が正常に表示されていることを報知する報知機能とを備えたことを特徴とする戸締まり確認システム。
【請求項２】
少なくとも一つの開閉検出センサが、監視装置に当該開閉検出センサに対応するサッシ等の施錠、解錠状態が正常に表示されていることを、目視で確認できないように、前記監視装置から離れた位置に配置されていることを特徴とする請求項１に記載の戸締まり確認システム。
【請求項３】
前記スイッチの操作により確認モードを選択した場合、確認モードを選択した旨の報知を行うと共に、確認モードを選択した後、前記錠の閉状態を検出した場合、前記確認モードを選択した旨の報知とは異なる報知を行うことを特徴とする請求項１に記載の戸締まり確認システム。
【請求項４】
所定時間以上の間、前記スイッチがオンされた場合に、確認モードが選択されたと判別することを特徴とする請求項１乃至３のいずれかに記載の戸締まり確認システム。
【請求項５】
前記スイッチの操作により確認モードを選択した後、確認モードが再度オンされた場合、確認モードを解除し、その旨報知することを特徴とする請求項１乃至４のいずれかに記載の戸締まり確認システム。
【請求項６】
サッシ等の錠に関連付けて所定位置に設置され、この錠の開閉レバーが開閉操作された場合、この錠の開閉状態を検出して施錠、解錠信号を監視装置に出力する開閉検出センサであって、この開閉検出センサは、確認モードを選択するスイッチと、当該開閉検出センサを前記所定位置に設置し、前記スイッチの操作により確認モードを選択して、錠の開閉レバーを開閉操作した場合、当該開閉検出センサから施錠、解錠信号が正常に出力され、前記監視装置に当該開閉検出センサに対応するサッシ等の施錠、解錠状態が正常に表示されていることを報知する報知機能とを備えたことを特徴とする開閉検出センサ。
【請求項７】
前記スイッチの操作により確認モードを選択した場合、確認モードを選択した旨の報知を行うと共に、確認モードを選択した後、前記錠の閉状態を検出した場合、前記確認モードを選択した旨の報知とは異なる報知を行うことを特徴とする請求項６に記載の開閉検出センサ。
【請求項８】
所定時間以上の間、前記スイッチがオンされた場合に、確認モードが選択されたと判別することを特徴とする請求項６又は７に記載の開閉検出センサ。
【請求項９】
前記スイッチの操作により確認モードを選択した後、確認モードが再度オンされた場合、確認モードを解除し、その旨報知することを特徴とする請求項６乃至８のいずれかに記載の開閉検出センサ。
【発明の詳細な説明】
【０００１】
【発明の属する技術分野】
本発明は、例えば、建屋等に設置された戸締まり確認システム及び開閉検出センサに関する。
【０００２】
【従来の技術】
一般に、サッシ等の錠に近接して設置され、この錠の開閉レバーが開閉操作された場合、この錠の開閉状態を検出して施錠、解錠信号を出力する複数の開閉検出センサと、複数の開閉検出センサからの施錠、解錠信号を受信して、各開閉検出センサに対応するサッシ等の施錠、解錠状態を表示する監視装置とを備え、この監視装置を例えば玄関等に設置して、外出時、或いは就寝時に、この監視装置で各サッシ等の戸締まり状態を確認できるようにした戸締まり確認システムが知られている。この種のものでは、本戸締まり確認システムを建屋に設置した後、各開閉検出センサが正常に動作して、各錠の開閉状態が監視装置に正常に表示されるか否かをテストしている。
【０００３】
この従来のテストでは、一般的に、本システムを建屋に設置した後、例えば一人が各サッシの錠を開閉して廻り、残りの一人が監視装置に表示された各錠の開閉状態を確認し、それが一致するか否かによって、本システムが正常に動作しているか否かを確認している。
【０００４】
【発明が解決しようとする課題】
しかしながら、このテストでは、少なくとも二人の作業員が必要になると共に、本システムが正常に動作しない場合、その異常が本システムのいずれの部分に起因したものか迅速に判断できないという問題がある。
【０００５】
上記開閉検出センサは、例えば台所、トイレ、居間、和室、浴室、玄関等の窓という窓すべてに設置されるため、上記開閉検出センサの台数は、例えば３０個以上とかなりの数になる。この開閉検出センサは錠に近接して設置されるが、この錠と開閉検出センサとの間に位置ずれがあっても、正常な施錠、解錠信号が得られず、本システムの異常となって現れる。
【０００６】
そこで、本発明の目的は、少なくとも錠と開閉検出センサとの間の位置ずれに起因した本システムの異常について、それを迅速に確認できる開閉検出センサ及び戸締まり確認システムを提供することにある。
【０００７】
【課題を解決するための手段】
請求項１記載の発明は、サッシ等の錠に関連付けて所定位置に設置され、この錠の開閉レバーが開閉操作された場合、この錠の開閉状態を検出して施錠、解錠信号を出力する複数の開閉検出センサと、複数の開閉検出センサからの施錠、解錠信号を受信して、各開閉検出センサに対応するサッシ等の施錠、解錠状態を表示する監視装置とを備えた戸締まり確認システムにおいて、前記開閉検出センサは、確認モードを選択するスイッチと、当該開閉検出センサを前記所定位置に設置し、前記スイッチの操作により確認モードを選択して、錠の開閉レバーを開閉操作した場合、当該開閉検出センサから施錠、解錠信号が正常に出力され、前記監視装置に当該開閉検出センサに対応するサッシ等の施錠、解錠状態が正常に表示されていることを報知する報知機能とを備えたことを特徴とするものである。
請求項２記載の発明は、少なくとも一つの開閉検出センサが、監視装置に当該開閉検出センサに対応するサッシ等の施錠、解錠状態が正常に表示されていることを、目視で確認できないように、前記監視装置から離れた位置に配置されていることを特徴とするものである。
請求項３記載の発明は、前記スイッチの操作により確認モードを選択した場合、確認モードを選択した旨の報知を行うと共に、確認モードを選択した後、前記錠の閉状態を検出した場合、前記確認モードを選択した旨の報知とは異なる報知を行うことを特徴とするものである。
請求項４記載の発明は、所定時間以上の間、前記スイッチがオンされた場合に、確認モードが選択されたと判別することを特徴とするものである。
請求項５記載の発明は、前記スイッチの操作により確認モードを選択した後、確認モードが再度オンされた場合、確認モードを解除し、その旨報知することを特徴とするものである。
請求項６記載の発明は、サッシ等の錠に関連付けて所定位置に設置され、この錠の開閉レバーが開閉操作された場合、この錠の開閉状態を検出して施錠、解錠信号を監視装置に出力する開閉検出センサであって、この開閉検出センサは、確認モードを選択するスイッチと、当該開閉検出センサを前記所定位置に設置し、前記スイッチの操作により確認モードを選択して、錠の開閉レバーを開閉操作した場合、当該開閉検出センサから施錠、解錠信号が正常に出力され、前記監視装置に当該開閉検出センサに対応するサッシ等の施錠、解錠状態が正常に表示されていることを報知する報知機能とを備えたことを特徴とするものである。
請求項７記載の発明は、前記スイッチの操作により確認モードを選択した場合、確認モードを選択した旨の報知を行うと共に、確認モードを選択した後、前記錠の閉状態を検出した場合、前記確認モードを選択した旨の報知とは異なる報知を行うことを特徴とするものである。
請求項８記載の発明は、所定時間以上の間、前記スイッチがオンされた場合に、確認モードが選択されたと判別することを特徴とするものである。
請求項９記載の発明は、前記スイッチの操作により確認モードを選択した後、確認モードが再度オンされた場合、確認モードを解除し、その旨報知することを特徴とするものである。
【０００９】
【発明の実施の形態】
以下、本発明の実施の形態を図面に基づいて説明する。
【００１０】
図１は、戸締まり確認システムを示す。この戸締まり確認システム１は、例えば台所、トイレ、居間、和室、浴室、玄関等に設置された各サッシ１００におけるクレセント（錠）３に接続された開閉検出センサ５と、これら複数の開閉検出センサ５に無線で接続された監視装置７とを備えて構成されている。この監視装置７は、例えば玄関に設置され、複数の開閉検出センサ５からのクレセント施錠、解錠信号を受信して、各開閉検出センサ５に対応するサッシ１００の施錠、解錠状態を表示する表示装置９を有する。
【００１１】
なお、サッシ１００の錠には、クレセント３の他にサムターン、カムラッチ等の開閉レバーを備えるすべてが適用される。
【００１２】
この表示装置９は、図２に示すように、ディスプレイ９Ａ上に複数のＬＥＤ１１Ａ、１１Ｂ、１１Ｃ…を備え、各ＬＥＤ１１が、いずれかの開閉検出センサ５に対応して記憶されており、対応する開閉検出センサ５が施錠された場合、この施錠信号を受信して、これに対応するＬＥＤ１１が点滅又は点灯する。
【００１３】
図３は、開閉検出センサ５及び監視装置７のブロック図である。
【００１４】
監視装置７は商用１００Ｖ電源に接続される電源部７１を有し、この電源部７１にＣＰＵ７２、固定ＩＤ記憶メモリ７３、表示装置９を構成する表示部７４及び送受信部７５を接続して構成されている。７６はアンテナ、７７は登録スイッチである。複数の開閉検出センサ５は同一の構造を有する。
【００１５】
各開閉検出センサ５は電池５１を内蔵し、この電池５１にＣＰＵ５２、ＩＤ・アドレス記憶メモリ５３、リードスイッチ５４、送受信部５５、ＬＥＤ（報知機能）５７、及び確認モード時に使用されるセットスイッチ５８を接続して構成される。５６はアンテナである。
【００１６】
図４は、開閉検出センサ５の取付け状態を示す。
【００１７】
サッシ１００は、内障子１０１と外障子１０２とを備える引き違いサッシであり、開閉検出センサ５は、内障子１０１の召合わせ框１０３の見込み面に１０３Ａに固定されている。この開閉検出センサ５はクレセント３に近接して設けられる。クレセント３は金属製であり、内障子１０１の召合わせ框１０３の見込み面１０３Ａに回動自在に取り付けられた開閉レバー３Ａと、外障子１０２の召合わせ框１０４に固定された受け部３Ｂと、ロック解除部３Ｃとを備えて構成される。このロック解除部３Ｃによりロックを解除した後、開閉レバー３Ａを矢印Ａ方向に回動させると、開閉レバー３Ａのフック３Ｄが受け部３Ｂから外れて解錠されると共に、開閉レバー３Ａを矢印Ｂ方向に回動させると、開閉レバー３Ａのフック３Ｄが受け部３Ｂに係合して施錠される。
【００１８】
開閉検出センサ５は三段構造を有する不透明な樹脂製のケース２１を備え、このケース２１は、上記クレセント３の開閉レバー３Ａの回動を許す下段部２１Ａと、中段部２１Ｂと、上段部２１Ｃとを備えて構成されている。
【００１９】
また、中段部２１Ｂと上段部２１Ｃの境界部２１Ｄは、室外側Ｏから室内側Ｉに連続して略円弧状に形成されると共に、なだらかに傾斜し、この傾斜面２１Ｅには、室外側Ｏから室内側Ｉに連続して略円弧状に延びる開口部が形成され、この開口部には開口と略同形状のレンズ１５が嵌め合わされている。このレンズ１５はその表面に光拡散用の凹凸（図示せず）が形成されている。そして、このレンズ１５の内側には、この開閉検出センサ５が、本システムの監視下に置かれた場合に点滅或いは点灯するＬＥＤ（図示せず）が設置される。このＬＥＤは高輝度赤色ＬＥＤであり、中段部２１Ｂよりも内側に配置され、その光は、中段部２１Ｂよりも外側に形成された傾斜面２１Ｅのレンズ１５を通じて、室外側Ｏにも室内側Ｉにも配光される。
【００２０】
上記構成では、クレセント３の開閉レバー３Ａが、矢印Ｂ方向に開き操作された場合、この開閉レバー３Ａに取り付けられた磁石（図示せず）と、開閉検出センサ５の下段部２１Ａに取り付けられた上記リードスイッチ５４とが反応し、このリードスイッチ５４を介して施錠信号が出力され、開閉レバー３Ａが、矢印Ａ方向に開き操作された場合、この開閉レバー３Ａに取り付けられた磁石（図示せず）と、開閉検出センサ５の下段部２１Ａに取り付けられた上記リードスイッチ５４とが離脱し、このリードスイッチ５４を介して解錠信号が出力される。
【００２１】
この種のものでは、本戸締まり確認システム１を建屋に設置した後、各開閉検出センサ５が正常に動作して、各クレセント３の開閉状態が監視装置７に正常に表示されるか否かがテストされる。このテストでは、仮に本戸締まり確認システム１が正常に動作しない場合、その異常が本システム１のいずれの部分に起因したものか迅速に判断できることが望ましい。この開閉検出センサ５は、図４に示すように、クレセント３に近接して所定位置に設置されるが、このクレセント３と開閉検出センサ５との間に微少な位置ずれがあっても、正常な施錠、解錠信号が得られず、本システム１の異常となって現れる。
【００２２】
特に、本システム１では、開閉検出センサ５が現場施工されるため、クレセント３との間に微少な位置ずれが発生し易い。
【００２３】
本実施形態では、少なくともクレセント３と開閉検出センサ５との間の微少な位置ずれに起因した本戸締まり確認システム１の異常について、それを迅速に確認することができるように構成される。
【００２４】
図５は、その確認フローを示す。
【００２５】
まず、上記開閉検出センサ５のセットスイッチ５８（図３）を２秒間オンする（Ｓ１）。これが２秒間オンされない場合、本システム１の本来の監視モード、或いは固定ＩＤ等の登録モードに移行する（Ｓ２）。セットスイッチ５８が２秒間オンされた場合、本実施形態による確認モードに入る（Ｓ３）。セットスイッチ５８が再度オンされたか否かが判定され（Ｓ４）、再度オンされた場合、確認モードから元のモードに復帰し、再度オンされなければ、Ｓ５に移行する。このＳ５では、リードスイッチ５４がオンされたか否か、すなわちクレセント３が開かれたか否かが判定される。
【００２６】
本実施形態では、クレセント３が閉じられると、すなわちリードスイッチ５４がオンすると、開閉検出センサ５のＬＥＤ５７が遅くゆっくり点滅し（Ｓ６）、クレセント３が開かれると、すなわちリードスイッチ５４がオフすると、開閉検出センサ５のＬＥＤ５７が早く点滅する（Ｓ７）。
【００２７】
この確認モードでは、クレセント３の開閉状態、すなわちリードスイッチ５４のオンオフ状態によって、開閉検出センサ５におけるＬＥＤ５７の点滅の形態が変化する。例えば、クレセント３が閉じているのに、開閉検出センサ５のＬＥＤ５７が早く点滅した場合、これはクレセント３が閉じているのに、リードスイッチ５４がオンしない状態にあり、開閉検出センサ５とクレセント３との間に微少な位置ずれがあるか、或いは開閉検出センサ５自体に異常がある。開閉検出センサ５自体に異常がある場合とは、開閉検出センサ５の下段部２１Ａにおけるリードスイッチ５４の取り付け位置に異常がある場合である。この場合、開閉検出センサ５とクレセント３との間の微少な位置ずれを修正し、或いはリードスイッチ５４の取り付け位置の位置ずれを修正する。
【００２８】
そして、セットスイッチ５８がオンされたか否かが判定され（Ｓ８）、オンされた場合、元のモードに戻り、セットスイッチ５８がオンされない場合、Ｓ５に戻り、以降各ステップを繰り返す。ここでは、セットスイッチ５８をオンすることにより、確認作業を終了としているが、これに限らず、一定時間経過後、元のモードに復帰する構成としてもよい。
【００２９】
なお、Ｓ１で、開閉検出センサ５のセットスイッチ５８を２秒間オンすることによって、確認モードに移行させたが、これに限定されるものではなく、例えば、クレセント３を特別な回数やタイミングで開閉させて、確認モードに移行させるように構成してもよい。
【００３０】
本実施形態では、開閉検出センサ５に異常がなく、この開閉検出センサ５とクレセント３との間に微少な位置ずれがない限り、Ｓ３で、確認モードを設定した後、クレセント３が開かれれば、開閉検出センサ５のＬＥＤ５７がゆっくりとした点滅から早い点滅に変化し、クレセント３が閉じられれば、開閉検出センサ５のＬＥＤ５７が早い点滅からゆっくりとした点滅に変化する。
【００３１】
従って、Ｓ３で、確認モードを設定した後、クレセント３を開いても、ＬＥＤ５７が遅い点滅のままであれば、開閉検出センサ５自体が異常か、或いはこの開閉検出センサ５とクレセント３との間に微少な位置ずれがあることになり、その異常を迅速に判断することができる。しかも、この確認作業は、一人の作業員で行うことができる。
【００３２】
上記開閉検出センサ５は、例えば台所、トイレ、居間、和室、浴室、玄関等の窓という窓すべてに設置されるため、この開閉検出センサ５の台数は、例えば３０個以上とかなりの数になる。しかし、一人で、上記確認を行うことができるため、その作業は容易である。
【００３３】
この構成では、開閉検出センサ５の単品のテストにも適用が可能である。例えば、開閉検出センサ５をテスト用の錠に近接して所定位置に配置し、このテスト用の錠の開閉レバーを開閉操作した場合、この錠の開閉状態を検出して、開閉検出センサ５のＬＥＤ５７の点滅形態を変化させることにより、開閉検出センサ５の単品のテストを行うことができる。
【００３４】
従って、例えばサッシの組み立て工場内で、サッシに開閉検出センサ５を取り付けて、開閉検出センサ５の動作確認を行った上で、開閉検出センサ５を工場出荷することが可能になる。
【００３５】
以上、本発明を上記実施の形態に基づいて説明したが、本発明はこれに限定されるものではない。本実施形態では、開閉検出センサ５に設けたＬＥＤ５７の点滅形態を変化させることにより、本システム１が正常に動作しているか否かを判定したが、これに限定されるものでなく、その報知機能は、例えば、点滅と点灯の組み合わせであってもよく、或いはＬＥＤ５７を使用せず、音や光や音声等であってもよいことは明らかである。
【００３６】
【発明の効果】
請求項１乃至８記載の発明は、この開閉検出センサは、これを錠に近接して所定位置に配置し、錠の開閉レバーを開閉操作した場合、当該開閉検出センサから施錠、解錠信号が正常に出力されることを報知する報知機能を備えたため、開閉検出センサ自体が異常か、或いはこの開閉検出センサと錠との間に微少な位置ずれがあるか等を、迅速に判断することができる。
【図面の簡単な説明】
【図１】本発明による戸締まり確認システム及びサッシの一実施形態を示す図である。
【図２】監視装置の表示装置を示す図である。
【図３】監視装置と開閉検出センサのブロック図である。
【図４】開閉検出センサと錠の位置関係を示す図である。
【図５】確認モードのフローチャートである。
【符号の説明】
１  戸締まり確認システム
３  クレセント
３Ａ  開閉レバー
５  開閉検出センサ
７  監視装置
９  表示装置
１１Ａ、１１Ｂ、１１Ｃ…  ＬＥＤ
５１  電池
５２  ＣＰＵ
５７  ＬＥＤ
５８  セットスイッチ
【図１】
0004217390.tif 000002
【図２】
0004217390.tif 000003
【図３】
0004217390.tif 000004
【図４】
0004217390.tif 000005
【図５】
0004217390.tif 000006